(57)【特許請求の範囲】
【請求項１】
測定ユニットに接続され、再利用可能な基部と、
前記基部に固定され、使い捨て可能なデタッチャブル部と
を備える、１つ以上の生理信号を測定するためのセンサシステムであって、
プレチスモグラフィック（ＰＰＧ）システムを含み、
前記ＰＰＧシステムが、少なくとも１つの光源と、少なくとも１つの光検出器と、前記少なくとも１つの光源を電気供給に接続する電気コネクタと、空気供給と空気コネクタと空気カフを含むエアシステムとを含み、
前記ＰＰＧシステムの少なくとも一部が前記デタッチャブル部に位置し、
前記基部は、前記少なくとも１つの光源、前記少なくとも１つの光検出器、前記電気コネクタ、前記空気供給、或いは前記空気コネクタ、のうちの少なくとも１つを収容し、
前記デタッチャブル部は患者の手の２本の隣接する指を受容するように構成され、前記デタッチャブル部が前記２本の隣接する指を受容したときに、前記基部は前記２本の隣接する指の間に位置するように構成され、前記空気カフは前記デタッチャブル部に位置しているセンサシステム。
【請求項２】
前記少なくとも１つの光検出器、前記電気コネクタ、前記空気供給、及び前記空気コネクタが前記基部に位置している、請求項１に記載のセンサシステム。
【請求項３】
前記少なくとも１つの光源及び前記電気コネクタが前記デタッチャブル部に位置している、請求項２に記載のセンサシステム。
【請求項４】
前記基部が前記少なくとも１つの光源を含み、前記デタッチャブル部がファイバーオプティックシステムを含む、請求項２に記載のセンサシステム。
【請求項５】
前記少なくとも１つの光源、前記電気コネクタ、前記空気供給、及び前記空気コネクタが前記基部に位置している、請求項１に記載のセンサシステム。
【請求項６】
前記少なくとも１つの光検出器と、前記少なくとも１つの光検出器への電気供給とが前記デタッチャブル部に位置している、請求項５に記載のセンサシステム。
【請求項７】
前記デタッチャブル部がファイバーオプティックシステムを含む、請求項５に記載のセンサシステム。
【請求項８】
前記デタッチャブル部が、前記少なくとも１つの光源と、前記少なくとも１つの光検出器と、前記電気コネクタとを含むダブルフィンガー用装着テープである、請求項１に記載のセンサシステム。
【請求項９】
前記空気供給及び前記空気コネクタが前記基部に位置している、請求項８に記載のセンサシステム。
【請求項１０】
前記デタッチャブル部が、液体が充填されたリザーバと、空のリザーバとを含む、請求項１に記載のセンサシステム。
【請求項１１】
前記液体が消毒剤である、請求項１０に記載のセンサシステム。
【請求項１２】
前記液体が充填されたリザーバが開かれて前記液体が充填されたリザーバからの前記液体が前記空のリザーバに流入することを含む、請求項１０又は１１に記載のセンサシステムの前記基部に前記デタッチャブル部を装着する方法。
【請求項１３】
前記液体が、光源又は光検出器からの光を人体組織に向けるために使用される、請求項１２に記載の方法。
【請求項１４】
前記液体が、前記センサの使用後、消毒のために使用される、請求項１３に記載の方法。
【発明の詳細な説明】
【技術分野】
【０００１】
（関連出願の相互参照）
本願は、２０１０年９月７日に出願された米国特許仮出願番号第６１／３８０，５１１号の非仮出願であり、参照によりその全体が本明細書に組み込まれる。
【０００２】
本発明は、概して、血圧及び、ひいては血行動態パラメータを測定するためのセンサに関し、より詳細には、該センサが使い捨て可能な、連続非侵襲的動脈圧（Ｃｏｎｔｉｎｕｏｕｓ  Ｎｏｎ−Ｉｎｖａｓｉｖｅ  Ａｒｔｅｒｉａｌ  Ｐｒｅｓｓｕｒｅ；ＣＮＡＰ）測定に関する。
【背景技術】
【０００３】
血圧（ＢＰ）は、幾つかの方法で測定することができる。一例としては、標準的な非侵襲的血圧計（ＮＢＰ）を上腕又は手首に載置するものがある。ＮＢＰは、動脈に圧力を加えることによって、動脈を収縮させて血流を制限する。圧力を解除すると、血流が動脈内で回復し、収縮期血圧及び拡張期血圧を測定することができる。ＮＢＰは、ＢＰを連続的にではなく断続的に測定する。
【０００４】
例えば動脈内カテーテル等の侵襲的デバイスを使用して、血圧を測定することもできる。侵襲的血圧（ＩＢＰ）デバイスは患者に痛みを与えることがある。
【０００５】
血圧を測定するための他の装置としては、カフと、赤外線光源と、フォトプレチスモグラフィック（ＰＰＧ）信号を測定するための光検出器とを有するセンサがある。この種の信号は、パルスオキシメトリ（ＰＯ）で知られている。ＰＰＧ信号は、制御システムに送給されて、該制御システムが、フィンガーカフ内にカウンター圧力を生成する。カウンター圧力は、ＰＰＧ信号が一定に保たれている場合、動脈内圧と等しくなることが良く知られている。従って、間接的に動脈内ＢＰと等しい値であるカウンター圧力を測定する。この方法は、「血管アンローディング技術（Ｖａｓｃｕｌａｒ  Ｕｎｌｏａｄｉｎｇ  Ｔｅｃｈｎｉｑｕｅ）」や「連続非侵襲的動脈圧（ＣＮＡＰ）」として知られている。この方法は、前述の方法、ＮＢＰ及びＩＢＰ両方の利点を組み合わせたものであり、連続的なＢＰ情報を提供できると共に、その非侵襲的な特性から、痛みを伴わない。
【０００６】
ＣＮＡＰセンサシステムは、典型的には、人体（例えば指）の動脈上に載置される。センサシステムは、空気供給及びＰＰＧシステムを有するカフを備える。ＰＰＧシステムは、少なくとも１つの光源と、少なくとも１つの光検出器と、電気部品と、１つ以上のコネクタとを備えることができる。センサシステムはさらに制御システムに接続されており、該制御システムは、電気インタフェース及び空気供給を提供する。また、より良好な光伝達のために、光結合システムを使用することができる。センサを（例えば衛生上の理由から）交換しなければならない場合には、全ての部品を交換する必要がある。従って、使い捨て可能且つ取り外し可能なセンサシステムを創ることが望まれている。
【発明の概要】
【発明が解決しようとする課題】
【０００７】
基部とディスポーザブル・デタッチャブル部とを含むＣＮＡＰセンサシステムが開示される。基部は再利用可能であるとともに制御システムに接続される。ディスポーザブル部は、人体に取り付けられ、低価格で製造されるように設計されている。ＣＮＡＰセンサシステムは、空気供給を含むカフと、電気供給を含む少なくとも１つの光源及び少なくとも１つの光検出器を有するＰＰＧシステムと、光結合システムと、１つ以上のコネクタとを含む。
【課題を解決するための手段】
【０００８】
一実施例において、上記センサは、測定ユニットに接続されたリユーザブル基部と、該基部に固定されたデタッチャブル部とを含む。デタッチャブル部は、人体の一部分を受容するようになっているとともに使い捨て可能である。センサシステムは、プレチスモグラフィック（ＰＰＧ）システムを含む。ＰＰＧシステムは、少なくとも１つの光源と、少なくとも１つの光検出器と、少なくとも１つの光源を電気供給に接続する電気コネクタと、エアシステムとを含む。ＰＰＧシステムの少なくとも一部が基部に位置し、ＰＰＧシステムの少なくとも一部がデタッチャブル部に位置している。
【０００９】
さらなる実施例において、リユーザブル基部は、光検出器及び光源と、空気供給と、電気ケーブル又はキャリアと、制御システムへのコネクタとを含む。光を指に対して伝達するためのファイバーオプティックシステムを含むデタッチャブル・ディスポーザブルカフが、基部に装着される。
【００１０】
他の実施例において、基部は、光源及び検出器と、空気供給と、光結合システムとを含む半剛性チューブの形状を有する。ディスポーザブル部は、可撓性を有するトーラス形状のリングを有して厚い端部を有する材料である。
【００１１】
さらに他の実施例において、基部は、空気供給及び空気コネクタを有するカフを含む。ディスポーザブル部は、装着テープからなり、１つ以上の光源及び検出器を含む。
【００１２】
以下、図面を参照して本発明の例示的な実施例を説明する。
【図面の簡単な説明】
【００１３】
【図１】指で血圧を測定するためのダブルカフを使用する、血圧を測定するための先行技術のセンサの一例を示す。
【図２】ダブルフィンガーカフである、本願のセンサを示す。
【図３】基部から取り外した、図２のカフを示す。
【図４】ファイバーオプティックシステムの概略図を示す。
【図５】ファイバーオプティックシステムを有するデタッチャブルな空気室を示す。
【図６】ディスポーザブル材料を有するセンサシステムを示す。
【図７】本願の他の実施例に係る、ディスポーザブルなダブルフィンガー用装着テープを示す。
【図８ａ】ディスポーザブル部を基部上に固定する前の、流体が充填された光結合システムを示す。
【図８ｂ】ディスポーザブル部を基部上に固定した後の、流体が充填された光結合システムを示す。
【発明を実施するための形態】
【００１４】
連続非侵襲的に動脈血圧（ＣＮＡＰ）を測定するためのセンサシステムを説明する。ＣＮＡＰセンサシステムは、固定部、言い換えるとリユーザブル（再利用可能）基部と、デタッチャブル（取り外し可能）・ディスポーザブル（使い捨て可能）部とを備える。リユーザブル基部は、制御システムに接続されており、高価な部品を含む。デタッチャブル・ディスポーザブル部は、指等の人体の一部分に取り付けるためのものであり、廉価に設計されている。
【００１５】
概して、ＣＮＡＰセンサシステムは、指に光源（好ましくは赤外線）からの光を透過させ、その透過光を光検出器で受光する。同時に、可変のカウンター圧力を、指を包囲する空気カフを介して、その指に加える。従って、ＣＮＡＰセンサシステムは、少なくとも１つの光源と、少なくとも１つの光検出器と、電気供給と、光結合システムと、１つ以上のコネクタとを有するフォトプレチスモグラフィック（ＰＰＧ）システム、及び、空気供給を有するカフを含んでもよい。電気供給は、例えば、ケーブルやフレキシブルプリント回路を含んでもよい。
【００１６】
図１は、ダブルフィンガーセンサとして構成された先行技術のＣＮＡＰセンサ１００を示す。センサ１００は、少なくとも１つの光源１０２と、少なくとも１つの光検出器１０４と、電気供給と、光結合システムと、空気供給を有するカフ１０６と、キャップ１１２と、制御システム１１０へのコネクタ１０８とを有するＰＰＧシステムを含む。動脈血液量を測定するために、光を、指を透過するように照射する。光源１０２は、好ましくは、波長が６５０〜１０００ｎｍのＬＥＤである。典型的に波長は、ヘモグロビン及び酸素化ヘモグロビンがそれらの等吸収点をもつ約８４０ｎｍである。赤血球は、該赤血球が酸素を運んでいる（酸素化ヘモグロビン）かいない（ヘモグロビン）かに係らず、この波長から光を吸収する。当該センサをパルスオキシメトリ機能のために使用する場合には、６５０ｎｍ及び９６０ｎｍといった異なる複数の波長が好ましい。この目的のために、米国特許公報第２００８／０２００７８５号に開示されているシステム等、異なる制御システムを使用してもよい。
【００１７】
光検出器１０４は、動脈血（赤血球）によって吸収されなかった光源１０２からの光の量を測定し、指における動脈血流の逆関数を生成する。この信号は、動脈の直径の尺度でもある。光検出器１０４は、例えば、受光した光を小電流（光電流）に変換するフォトダイオードとすることができる。光電流は、制御システム１１０に伝送されて増幅される。信号対雑音比が低いため、歪みを防止するためのシールドを使用してもよい。フォトディテクタの代わりに、光検出器１０４として光‐周波数変換機（ＬＦＣ）を使用してもよい。ＬＦＣは、受光した光によってデジタル出力信号を変調する集積回路である。デジタル信号は周囲の雑音によって影響を受けないため、電気シールドを使用しなくてもよくなる。
【００１８】
センサ１００は、指の組織へと光を向け、透過光を受光し、それをレシーバに伝送する。透過部品又は受光部品が指に直接接触していない場合、光結合システムを使用してもよい。光結合システムは、例えばファイバーオプティックスやレンズ等、センサと組織との間で光を案内するために用いられる任意の種類の光学的構成又は組み合わせとすることができる。他の例において、例えば、透明流体を使用して、指の組織と光学部品との間の隙間を埋めることができる。
【００１９】
ガスが充填された空気カフ１０６によって、可変の圧力が指に加えられる。圧力は、制御システム１１０によって調節され、測定モードの間、指内部の血圧と等しい。最適な圧力伝達のために、空気カフ１０６は、リングとして指を包囲する。環状の外層は、皮膚に直接接触するカフ１０６の内層よりも高い剛性を有する。空気圧が、例えば、バルブシステムに接続されたポンプ等の空気供給によって、空気カフ１０６に伝達される。空気圧は、好ましくはエアチューブを介して伝達される。チューブは、アーチファクトの移動を防止するために、シリコーンホース等の可撓性を有するものとしてもよい。
【００２０】
コネクタ１０８によって、センサ１００と制御システム１１０とを接続する。ここに示すように、コネクタ１０８は、電気信号及び空気信号の両方を運ぶことができる。他の構成において、電気信号用と空気信号用の別体のコネクタを使用することができる。
【００２１】
制御システム１１０は、ＣＮＡＰセンサの一部ではない。制御システム１１０は、逆の動脈流（容積）信号を受信し、空気カフ１０６内の圧力に反応する。当該技術分野において、カフの圧力は、動脈容積信号が一定に保たれている（固定されている）場合、動脈圧と等しくなることが知られている。従って、この方法は、「容積固定法（ｖｏｌｕｍｅ  ｃｌａｍｐ  ｍｅｔｈｏｄ）」と呼ばれることがある。
【００２２】
図２は、ダブルフィンガーカフとして構成された、本願の例示的なセンサシステム２００の一実施例の前面図を示す。センサシステムは、フィンガーセンサ及びダブルフィンガーカフとして示されているが、代わりにシングルカフを使用してもよいし、人又は動物の身体の他の場所を測定するセンサを使用してもよいことは理解されたい。取り外し可能且つ使い捨て可能なカフ（ｗ字状部）２０２が、２本の隣接する指を包囲する。カフ２０２は、好ましくは、人体と接触することから生体適合性を考慮し、プラスチック又は他の成形可能な材料からなる。カフ２０２は、本実施例ではｘ字状の基部２０４上に装着される。カフ２０２は、スナップファスナー又は他の種類のコネクタによって、基部２０４に装着することができる。
【００２３】
１つ以上の光源２０６が、カフ２０２に装着される。光源２０６は、例えば、発光ダイオード（ＬＥＤ）又はレーザーダイオードとすることができる。基部２０４は、光源２０６の反対側に位置する１つ以上の光検出器２０８を含むことができる。光源２０６は、例えば配線等の電気コネクタ２１０によって、電気供給２１１に接続することができる。電気コネクタ２１０は、カフ２０２の一部として形成してもよい。カフ２０２は、指上の接着テープやＶｅｌｃｒｏ（登録商標）、締結クリップ等のファスナー２１２を用いて、その指に固定することができる。あるいは、任意の既知のファスナーによって、カフ２０２を指に固定してもよい。基部２０４はまた、指に対して圧力を生成するために、空気を空気供給（不図示）からカフ２０２に供給するためのエアチューブ２１４を含んでもよい。
【００２４】
図３は、基部２０４から取り外したカフ２０２を示す。カフ２０２は、ＬＥＤとすることができる光源２０６と、電気コネクタ２１０とのみ含む。一実施例において、カフ２０２は、電気部品を全く含まない。他の実施例において、カフ２０２は、光源２０６の代わりに、又は、光源２０６に加えて、光検出器２０８を含むことができる。
【００２５】
図４は、プレチスモグラフィに使用することができるファイバーオプティックシステムの一例を示す。基部４００は、光源４０２及び光検出器４０４の両方を含む。光ファイバ４０６によって、光を、デタッチャブル・ディスポーザブル部４０８に対して往復させる。ファイバーオプティックスは、指の組織に対して光を伝播させるために、ファイバ端に追加の光ガイド４１０を必要とする場合がある。指は、光の伝播の両端間に載置される。
【００２６】
図５は、ファイバーオプティックスの概念を使用した他の実施例の前面図を示す。空気カフとすることができるデタッチャブル・ディスポーザブル部５００が、基部５０２上に装着される。図２及び３に示す実施例とは対照的に、光源５０４及び光検出器５０６が、基部５０２に含まれている。カフ５００は、光検出器５０６に対して反対側の該カフの外縁に光を伝達する光ファイバを含む。従って、光を、カフ５００の外縁における光ファイバの端部５０１から指を介して光検出器５０６に伝達できる。またここでもカフ５００は、指上の接着テープやＶｅｌｃｒｏ（登録商標）、締結クリップ等のファスナー５１０を用いて、その指に固定することができる。基部５０２はまた、カフ５００に空気を供給するためのエアチューブ５１２を含む。他の例において、光ファイバ自体が、指から光を受光しそれを光検出器５０６に伝達するようにしてもよい。
【００２７】
本システムのさらに他の実施例を図６に示す。本実施例は、基部としての半剛性チューブ６００と、基部の周囲に載置されたデタッチャブル・ディスポーザブル材料６０２とを含む。半剛性チューブ６００は、光源６０４と光検出器６０６とを含む。指に対する最適な光伝達のために、光結合システム６０８は、光源６０４及び光検出器６０６に隣接して位置付けてもよい。一実施例において、光結合システム６０８は、レンズであってもよい。また、空気供給システム又はエアチューブ６１０及び電気供給６１２を半剛性チューブ６００の内部に位置付けてもよい。
【００２８】
一例において、材料６０２は、可撓性を有するトーラス形状のリング６１４を有して厚い端部を有するホースとすることができる。リング６１４は、風船の端部に相当するものである。適用時、材料６０２を指に載置し、半剛性チューブ６００を材料６０２上で摺動させる。材料のトーラス６１４は、チューブ６００の端部に嵌められて、チューブ６００の外側の切欠き（不図示）によって適切な位置に保持される。この手順は、使用者が行なうことができ、これにより空気室６１６が形成される。
【００２９】
他の実施例を図７に示す。本実施例において、デタッチャブル・ディスポーザブル部７００は、電気部品７０２、例えば光源及び光検出器と、シンプルコネクタ７０４とを含む。エアシステム（カフ、供給、及びコネクタ）が、基部（不図示）内に位置している。この概念は、ＳｐＯ２プローブとして知られ、全ての部品が接着テープ又は装着テープ上に載置されている。ディスポーザブル部７００は、ダブルフィンガー用装着テープとして形成されている。装着テープは、電気接続及び配線を担持するフレキシブルプリント回路からなるものとすることができる。装着テープは、光検出器が光源の反対側に位置決めされた状態で、指上に位置決めされる。そして、エアシステムを装着テープ上に載置する。
【００３０】
装着テープは、正確に載置するための位置決め補助具を用いて指に貼着してもよい。位置決め補助具は、例えば、装着テープを囲繞するｗ字状の弾性部とすることができる。この組み合わせたものを指上に載置することができ、ｗ字状部を取り外すと、装着テープが指に貼着される。使用後、装着テープは、バンドエイドのように指から取り外すことができる。コストを低減するために、光検出器又は光源のいずれかをエアシステム上に載置することもできる。装着テープは、代わりにシングルフィンガーカフを形成してもよい。
【００３１】
図８ａ及び８ｂに示すシステムは、プラスチック又は他の成形可能な材料からなるデタッチャブル・ディスポーザブル部８００を含んでもよい。ディスポーザブル部８００は、液体が充填されたリザーバ８０６を含んでいる。リザーバ８０６は、ディスポーザブル部８００を固定部８０２上に装着すると開かれる。液体が、リザーバ８０６から流出し、光源又は検出器８０４の前方に載置された第２の空のリザーバ８０８に流入する。液体は、指と光源又は検出器８０４との間の伝達媒質である。伝達媒質は、異なる材料間の隙間を無効にすることによって指の組織と光学センサとの間の光伝播を向上させる。
【００３２】
ディスポーザブル部８００を基部８０２から取り外すと、上記液体は蒸発する。液体は、例えば測定を行った後に基部８０２を洗浄する消毒剤であってもよい。
【００３３】
幾つかの実施例において、センサは、該センサを不正な再利用から保護する部分を含んでもよい。これは、暗号認証を用いた電子機器や、あるいは、内部カフに位置する単純なヒューズ状の構成によって実現できる。
【００３４】
上述の実施例のいずれも、ダブルフィンガーセンサ同様にシングルフィンガーセンサとして形成できることは理解されたい。ダブルフィンガーセンサは、指の切り替えのために測定時間がより長いが、１本の指の周りで捻れないため、光源及び光検出器を安全に載置することができる。
【００３５】
本明細書においては、本発明をある実施例及び用途に関連して説明したが、当業者であれば、本発明の概念の精神の範囲内に包含される変化、変形、変更等を認識するであろうし、またそのようなものは、以下の特許請求の範囲において表現される発明の範囲内に含まれるものである。
【図１】
0005865909.tif 000002
【図２】
0005865909.tif 000003
【図３】
0005865909.tif 000004
【図４】
0005865909.tif 000005
【図５】
0005865909.tif 000006
【図６】
0005865909.tif 000007
【図７】
0005865909.tif 000008
【図８ａ】
0005865909.tif 000009
【図８ｂ】
0005865909.tif 000010